(57)【要約】少なくとも２つのワイヤブランチ（１１、１２、１３、１４）が設けられ、その間に電圧を印加することができる支持部材（０２）を備えた、動物、特に虫を撃退するための装置であって、ワイヤブランチ（１１、１２、１３、１４）は導電性プラスチック材で形成されていることを特徴とする装置。【選択図】図３
2007534327.tif 000002
【特許請求の範囲】
【請求項１】
少なくとも２つのワイヤブランチ（１１、１２、１３、１４）が設けられ、その間に電圧を印加することができる支持部材（０２）を備えた、動物、特に虫を撃退するための装置であって、
前記ワイヤブランチ（１１、１２、１３、１４）は導電性プラスチック材で形成されていることを特徴とする装置。
【請求項２】
少なくとも１つの電気ワイヤ本体（１５、１６、１７、１８）が前記ワイヤブランチ（１１、１２、１３、１４）内に設けられて、実質的に前記ワイヤブランチ（１１、１２、１３、１４）が前記ワイヤ本体（１５、１６、１７、１８）を囲むことを特徴とする、請求項１に記載の装置。
【請求項３】
前記ワイヤ本体（１５、１６、１７、１８）が前記ワイヤブランチ（１１、１２、１３、１４）内に鋳込まれて成形されていることを特徴とする、請求項２に記載の装置。
【請求項４】
前記ワイヤブランチ（１１、１２、１３、１４）および/または前記ワイヤ本体（１５、１６、１７、１８）は、直接的または間接的に電源に接続することができることを特徴とする、請求項１から3の何れか1項に記載の装置。
【請求項５】
前記ワイヤブランチ（１１、１２、１３、１４）および/または前記ワイヤ本体（１５、１６、１７、１８）の電源への接続は、少なくとも２つのコンタクトピン（２０、２１、２２、２３）を有するクリップ（１９）によって接続を行うことができることを特徴とする、請求項１から４の何れか1項に記載の装置。
【請求項６】
前記クリップ（１９）は、相互に接続される少なくとも２つのワイヤブランチ（１１、１２、１３、１４）の間の接続部材として使用することができることを特徴とする、請求項５に記載の装置。
【請求項７】
前記電気ワイヤ本体（１５、１６、１７、１８）が、ワイヤ束および/または金属箔からなっていることを特徴とする請求項２から６の何れか1項に記載の装置。
【請求項８】
前記金属箔がニッケル被覆銅箔からなっていることを特徴とする請求項７に記載の装置。
【請求項９】
前記金属箔が０．１ｍｍから０．５ｍｍの間、好ましくは、０．１ｍｍから０．２ｍｍの間であることを特徴とする請求項７または８に記載の装置。
【請求項１０】
前記金属箔の幅が１ｃｍから１０ｃｍの間、好ましくは、１ｃｍから３ｃｍの間であることを特徴とする請求項７または８に記載の装置。
【請求項１１】
前記支持部材（０２）が柔軟性のあるプラスチック材、特にポリ塩化ビニルで形成されていることを特徴とする請求項１から１０の何れか1項に記載の装置。
【請求項１２】
前記支持部材（０２）に、前記ワイヤブランチ（１１、１２、１３、１４）が配置される少なくとも１つのグルーブ（０３、０４、０５、０６）が設けられ、前記グルーブ（０３、０４、０５、０６）が前記ワイヤブランチ（１１、１２、１３、１４）の形状を実質的に補完することができることを特徴とする請求項１から１０の何れか1項に記載の装置。
【請求項１３】
前記支持部材（０２）の少なくとも一部領域（０７、０８）は、少し斜めになっており、傾斜面（０９、１０）を設けることができることを特徴とする請求項１から１２の何れか1項に記載の装置。
【請求項１４】
前記支持部材（０２）および前記ワイヤブランチ（１１、１２、１３、１４）を備えた外装は、平ら面を形成することができることを特徴とする請求項１から１３の何れか1項に記載の装置。
【発明の詳細な説明】
【技術分野】
【０００１】
本発明は、動物特に虫を撃退するための装置に関する。装置は、その上に電圧が印加される少なくとも２つのワイヤブランチが設けられた支持部材を備えている。
【背景技術】
【０００２】
動物の用語は、人間および広い意味で経済に悪影響を及ぼす、主として動物害虫を含む。これらの動物害虫は、それに限らないが主として虫である。例えば、シロアリおよび蟻が動物害虫の１つのグループであり、建物および建物の部分に深刻な脅威を及ぼす。主として、木で作られた建物または木造建造物は、これら害虫によって脅威を受ける。なぜなら、例えば、シロアリは支持建造物の部材を数日で破壊することが出来るからである。
【発明の開示】
【発明が解決しようとする課題】
【０００３】
建造物をシロアリまたは他の害虫から化学的手段特に毒素を使用して防護することは知られている。環境に及ぼす悪影響、毒素が人間の食物連鎖に侵入すること、これらと関連して起きる健康悲哀の故に、化学/毒素によってシロアリおよび類似の動物害虫を駆除することは、例えば成長著しい場所では、非常に問題がある。この方法は、このように憂慮すべき生態上の不利益を引き起こし、また、高価な殺虫剤のゆえに高コストである。更には、ある期間の経過後、虫はもとの環境に戻ってくるので、再び殺虫剤を撒かなければならないという不利点がある。
【０００４】
上述した従来技術を考慮して、この発明は、動物特に虫を撃退する装置を創造するという目的に基づいており、その装置によると、相対的に少ない労力、高い効果で、少なくとも２つのワイヤブランチを使用して、特別な動物の駆除が可能である。
この発明によると、この目的は請求項１のプレアンブル部によって解決される。
この発明の有利な態様は、従属請求項の目的である。
【課題を解決するための手段】
【０００５】
首尾よく動物特に虫を撃退するために、この発明による装置は、導電性のプラスチック材で作製された少なくとも２つのワイヤブランチを有している。これらの導電性ワイヤブランチによって、化学/毒素の使用による駆除手段を使用することなく、動物を撃退する装置を作ることができる。この装置の他の利点は、非常に簡単な手段によってできるという事実に基づいており、装置の信頼性の高い機能が確保できる。
【０００６】
この装置の操作の信頼性をより高めるために、ワイヤブランチ内に少なくとも１つの電気ワイヤ本体が備えられており、ワイヤブランチがワイヤ本体を実質的に気密に囲んでいる。これによって、ワイヤ本体が完全にワイヤブランチの中に埋め込まれているので、ワイヤ本体の酸化が防止される。
【０００７】
ワイヤ本体はワイヤブランチの中に鋳込むことによって成形することができ、または、類似の方法によって、ワイヤブランチの中に設けられる。このような埋め込みの利点は、ワイヤブランチの表面によって、導電性のワイヤ本体の位置を正確に認識することができないことである。
【０００８】
ワイヤブランチまたはワイヤ本体への電源供給を確保するために、ワイヤブランチおよび/またはワイヤ本体が直接的および/または間接的に電源に接続される。ワイヤブランチおよび/またはワイヤ本体の最適の電圧は、１０００から３０００ボルトの間である。
【０００９】
ワイヤブランチおよび/またはワイヤ本体の電源への接続は、クリップ接続を介して行われる。クリップは、例えば、少なくとも２つ、特に４つの接続ピンを備えている。
クリップを、相互に接続される２つのワイヤブランチ間の接続部材として使用することが出来る。
【００１０】
クリップによる接続の利点は、クリップが非常に簡単に操作できること、または、クリップ操作の高い信頼性にある。
電気ワイヤ本体は、ワイヤストランドおよび/または金属箔からなっている。電気ワイヤ本体が金属箔からなっているとき、ニッケル被覆銅箔が好ましい。このようなニッケル被覆銅箔の利点は、銅箔等の非常に高い導電性にある。
【００１１】
金属箔が０．１ｍｍから０．５ｍｍの間、好ましくは、０．１ｍｍから０．２ｍｍの間である。金属箔の幅が１ｃｍから１０ｃｍの間、好ましくは、１ｃｍから３ｃｍの間である。  
【００１２】
ワイヤブランチの態様、または、それを流れる電圧によって、金属箔は他の寸法で作製される。この発明によると、金属箔が作製される方法は重要ではない。
【００１３】
この発明の装置の支持部材は、柔軟性のあるプラスチック材、特に、ポリ塩化ビニル（PVC）で作製される。この利点は、支持部材は、角部または屈曲部を簡単に成形することができることにある。特にポリ塩化ビニルによると、上述した支持部材を簡単に製造することができ、高い耐候性を備えている。
【００１４】
この装置の好ましい態様においては、支持部材に少なくとも１つのグルーブを形成し、その中にワイヤブランチを配置することができる。グルーブはワイヤブランチの形状を実質的に補完することができる。支持部材にグルーブを設けることによって、または、ワイヤブランチをグルーブ内に設けることによって、装置は完全に平らな面を備え、虫が装置の上面にしがみつくことができない。ワイヤブランチをグルーブの中に配置する、または、装置に設けられた、電源に接続することは、ファスナ等によって行うことができる。他の固定方法も用いてもよい。
【００１５】
動物が通過するのを容易にし、装置に乗るのを容易にするために、支持部材の少なくとも一部が少し傾き、斜面を備えている。これによって装置または支持部材を簡単に地面に配置することができ、装置の高い機能性が確保される。
【００１６】
この発明の装置の特に好ましい態様において、支持部材およびワイヤブランチによって形成される外装が平らな面を形成する。これによって、グルーブの間の空間に泥または虫が堆積しない。装置は、本質的に修理が不要である。
以下に、態様を例示的にのみ示す図を参照してこの発明をより詳細に説明する。
【発明の効果】
【００１７】
導電性ワイヤブランチによって、化学/毒素の使用による駆除手段を使用することなく、動物を撃退する装置を作ることができる。ワイヤ本体が完全にワイヤブランチの中に埋め込まれているので、ワイヤ本体の酸化が防止される。装置は完全に平らな面を備え、虫が装置の上面にしがみつくことができない。
【００１８】
動物が通過するのを容易にし、装置に乗るのを容易にするために、支持部材の少なくとも一部が少し傾き、斜面を備えている。これによって装置または支持部材を簡単に地面に配置することができ、装置の高い機能性が確保される。
【発明を実施するための最良の形態】
【００１９】
支持部材０２の横断面を図２に示す。支持部材０２を実質的に完全に通る４つのグルーブ０３、０４、０５、０６が、支持部材０２に設けられている。更に、支持部材０２は少し傾斜した部分０７、０８を備えており、傾斜した部分には斜面０９、１０が設けられている。傾斜した部分０７、０８に搭載された斜面０９、１０は、動物が支持部材を通過するのを容易にする。
【００２０】
図２は、支持部材０２を備えた装置の横断面図である。グルーブ０３、０４、０５、０６に実質的に形状を補完するやり方で示されたワイヤブランチ１１、１２、１３、１４は、支持部材内、または、グルーブ０３、０４、０５、０６内に設けられている。支持部材０２の平らな表面は、上述したようにワイヤブランチ１１、１２、１３、１４をグルーブ内に配置することによって得られている。その結果、動物が支持部材０２の上、または、ワイヤブランチ１１、１２、１３、１４の上にしがみつくことはできない。更に、装置０１は不純物に対してよりよく防護されている。
【００２１】
ワイヤブランチ１１、１２、１３、１４内に完全に埋め込まれて、ワイヤ本体１５、１６、１７、１８が設けられている。ワイヤ本体１５、１６、１７、１８は、ここでは金属箔からなっている。ワイヤブランチ１１、１２、１３、１４は、簡単なクリップファスナによって、支持部材０２に接続することができる。このように、ワイヤブランチ１１、１２、１３、１４またはワイヤ本体１５、１６、１７、１８の拡張接続操作の必要は全く無い。
【００２２】
図３はクリップ１９の横断面図である。接続導体によって電源に接続される接続ピン２０、２１、２２、２３がクリップ１９に備えられている。クリップ１９はクリック接続レバーによってロックされる。他の手段として、ネジ式接続が提供される。
【００２３】
図２に示すように、支持部材０２がクリップ１９の中に配置される。クリップ１９はクリック接続レバー２６によってロックされると、接続ピン２０、２１、２２、２３は、支持部材０２に設けられたワイヤブランチ１１、１２、１３、１４および/またはワイヤ本体１５、１６、１７、１８と接触し、支持部材０２に電流が供給される。接続ピン２０、２１、２２、２３の自由端の形状を適切にすることによって、例えば、先端を形成することによって、接続ピン２０、２１、２２、２３がワイヤブランチ内に侵入して、ワイヤブランチ内に埋め込まれているワイヤ本体１５、１６、１７、１８と接触する。
【図面の簡単な説明】
【００２４】
【図１】図１は、支持部材の横断面図である。
【図２】図２は、図１に示す支持部材を備えた装置の横断面図である。
【図３】図３は、クリップの横断面図である。
【符号の説明】
【００２５】
１：虫を撃退する装置
２：支持部材
３、４、５、６：グルーブ
７、８：支持部材の一部領域
９、１０：傾斜面
１１、１２、１３、１４：ワイヤブランチ
１５、１６、１７、１８：ワイヤ本体
１９：クリップ
２０、２１、２２、２３：コンタクトピン
【図１】
2007534327.tif 000003
【図２】
2007534327.tif 000004
【図３】
2007534327.tif 000005
【国際調査報告】
2007534327.tif 000006
2007534327.tif 000007
2007534327.tif 000008
2007534327.tif 000009
2007534327.tif 000010
2007534327.tif 000011